(57)【要約】  フィルムの端部を浮き上げるつまみ片が予め浮き上がっており、その浮き上がりが長期間保持され、破損に対する耐久性が高いつまみ片を有するフィルム用収納箱、詳しくはラップフィルム用収納箱を提供する。  フィルム用収納箱の前板全幅に亘ってつまみ片を形成し、前板上端縁に設けた縁折片を前板裏面に貼り付けることにより生じる反発力で、つまみ片を湾曲状に浮き上がらせ、前板両側面の折り線の一部をつまみ片の両側部とすることで耐久性を付与したことを特徴とするフィルム用収納箱（又はラップフィルム用収納箱）。
2008153012.tif 000002
【特許請求の範囲】
【請求項１】
前板（１）、底板（２）、後板（３）、及び脇板（４）の各面で形成される上部が開口した収納室（Ｍ）と、その収納室（Ｍ）の後板（３）の上端縁から開閉可能で収納室（Ｍ）を覆う方向に連接した蓋板（５）、その蓋板（５）の前端縁から前板（１）を覆う方向に延出した掩蓋片（６）、上記掩蓋片（６）先端に切り取り線（７）を介して延出した開封片（８）、上記開封片（８）を剥すことによって露出する掩蓋片（６）の先端に設けられたフィルムを切断するための切断刃（Ｋ）、及び掩蓋片脇板（９）の各面で形成される蓋体（Ｎ）と、を有するフィルム収納箱において、
前板（１）の上端縁には折り線（Ｓ）を介して前板（１）の裏面を覆う縁折片（１０）が連接されており、閉蓋時に掩蓋片（６）と重なる範囲の前板（１）には長手方向全幅に亘って折り線（Ｓ）に接しない切れ目（Ｐ）が形成されており、折り線（Ｓ）と切れ目（Ｐ）で囲まれる部分によりつまみ片（Ｑ）が形成されており、つまみ片（Ｑ）の表面にはフィルムを仮留めする手段を有していることを特徴とするフィルム用収納箱。
【請求項２】
縁折片（１０）は前板（１）の裏面に貼り合わせられていることを特徴とする請求項１に記載のフィルム用収納箱。
【請求項３】
上記切れ目（Ｐ）の最も底板（２）に近い部分は閉蓋時に切断刃（Ｋ）と高さ方向で重なる状態であることを特徴とする請求項１又は２に記載のフィルム用収納箱。
【請求項４】
つまみ片（Ｑ）の先端部となる切れ目（Ｐ）の少なくとも中央部が折り線（Ｓ）に向かう半円形状をなし、その半径は６０ｍｍ以下であることを特徴とする請求項１〜３のいずれかに記載のフィルム用収納箱。
【請求項５】
上記つまみ片（Ｑ）の先端部となる切れ目（Ｐ）の両端部は縁折片（１０）側、又は底板（２）側に向かう半円状の切れ目であり、その半円状の切れ目の部分は各々前板（１）の両端部に達しており、当該前板（１）両端部にある前板（１）とその補助脇板（１３）を繋ぐ折り線が、切れ目（Ｐ）との接点部分を介して上部（Ｔ１）と下部（Ｔ２）に区分され、上部（Ｔ１）は縁折片（１０）側の頂点（Ｕ）から前板（１）の中央側に斜めに向かい、切れ目（Ｐ）の端部の半円状切れ目のいずれかの位置にまで及んでいることを特徴とする請求項１〜４のいずれかに記載のフィルム用収納箱。
【請求項６】
両端が折り線（Ｓ）に接する１〜２本の切れ目（Ｗ）を縁折片（１０）に付与し、収納箱に組み立てた場合に収納室の内方を向く突出片（１１）を設置したことを特徴とする請求項１〜５のいずれかに記載のフィルム用収納箱。
【請求項７】
外側端が折り線（Ｓ）に接し内側端が折り線（Ｓ）に接しない１〜２本の切れ目（Ｗ）を縁折片（１０）に付与し、収納箱に組み立てた場合に収納室の内方を向く突出片（１１）を設置したことを特徴とする請求項１〜５のいずれかに記載のフィルム用収納箱。
【請求項８】
フィルム用がラップフィルム用であることを特徴とする請求項１〜７のいずれかに記載のフィルム用収納箱。
【発明の詳細な説明】
【技術分野】
【０００１】
本発明は、フィルム用収納箱に関する。本発明は、特に食品包装用のラップフィルム用に好適に使用することができる。
以下、ラップフィルムを例に背景技術を説明する。
【背景技術】
【０００２】
ラップフィルムは、通常、紙製の芯体に巻回された巻筒体が、紙製の直方体の箱に収納されており、使用者がラップフィルムを所望の長さに切り取ることで使用されている。しかしながら、従来のラップフィルム用収納箱の前板部分には切り残されたラップフィルムが収納箱内に巻き戻ることを防止するための仮留め部材が付与されていることが一般的であるため、収納箱側に切り残されたラップフィルムの先端部は収納箱の前板面に貼り付く場合が多く、加えて材質が薄く透明であることから、次の使用に際してラップフィルムの先端部がつまみ難いという問題があった。【０００３】
この問題を解決するため、ラップフィルムを摘み挙げる箇所に穴を設置したり、該当部分に付与した切り込みを前方に起こす等の工夫でラップフィルムの先端部をつまみ易くさせる方法が提案されている（特許文献１）。また、予め前面壁の一部を浮き上がらせておく手段として、第１壁体と第２壁体とを折り曲げてなる前面壁の第１壁体部分に突出片を形成する切り線を、その両端部が第１壁体と第２壁体との折り線まで延びるように形成し、第１壁体と第２壁体とが平坦な状態に復帰しようとする現象を利用する方法が提案されている（特許文献２）。【０００４】
しかしながら、特許文献１に記載されている穴を開けるものでは、実質的につまみ易さの効果は小さく、時としてラップフィルムの先端部が穴を通して収納箱内のロール本体に貼り付いて逆につまみ難くなる可能性がある。また、切り込み部を設ける場合は、それを折り曲げて浮き上がらせる操作を使用者側に委ねる問題があり、更には浮き上がらせた切り込み部と共にラップフィルム先端部をつまみ上げた場合、切り込み部の両端部から破壊が進行し、その部分が収納箱から除去されてしまう可能性もある。特許文献２の場合は、素材の反発力を利用して突出片を予め浮き上がらせており、二重貼り合せにしている前面壁部分の頂点部分まで突出片の切り線が付与されているので、ラップフィルムと共に突出片をつまみ上げても突出片が除去されることは無いが、突出片は前面壁頂点部分を基点としてほぼ回動自由になるので、突出片にフィルム仮留め部材を付与している場合、ラップフィルムのみをつまみ上げても突出片がラップフィルムから離れ難くなるため、ラップフィルムのスムーズな引き出し操作が阻害される。また、前面壁長手方向の長さに対して上記突出片の幅が小さいので、長期間蓋体が閉じられた状態で保管された場合、ラップフィルムを浮き上げる効果が小さくなる問題がある。【０００５】
【特許文献１】特開平０８−１１３２４７号公報
【特許文献２】特開２００２−２７４５３４号公報
【発明の開示】
【発明が解決しようとする課題】
【０００６】
そこで本発明の目的は、フィルム用収納箱において、収納箱側に切れ残ったフィルム先端部をつまみ易くするためのつまみ片が予め前板から浮き上がっており、その浮き上がりが長期間維持され、フィルムごとつまみ片を持ち上げてもつまみ片部分が破損することなく、つまみ片部分に仮留め部材が付与されている場合でも、つまみ片からフィルムが剥がれ易く、引き出しを阻害しないフィルム用収納箱を提供することである。
【課題を解決するための手段】
【０００７】
本発明者らは、上記課題を解決するため、つまみ片を前板全幅に亘って形成させることで、浮き上がり高さ、耐久性、使い易さ等が大きく向上することを見い出し本発明の完成に至った。
即ち、本発明は以下の通りである。
１．前板（１）、底板（２）、後板（３）、及び脇板（４）の各面で形成される上部が開口した収納室（Ｍ）と、その収納室（Ｍ）の後板（３）の上端縁から開閉可能で収納室（Ｍ）を覆う方向に連接した蓋板（５）、その蓋板（５）の前端縁から前板（１）を覆う方向に延出した掩蓋片（６）、上記掩蓋片（６）先端に切り取り線（７）を介して延出した開封片（８）、上記開封片（８）を剥すことによって露出する掩蓋片（６）の先端に設けられたフィルムを切断するための切断刃（Ｋ）、及び掩蓋片脇板（９）の各面で形成される蓋体（Ｎ）と、を有するフィルム収納箱において、前板（１）の上端縁には折り線（Ｓ）を介して前板（１）の裏面を覆う縁折片（１０）が連接されており、閉蓋時に掩蓋片（６）と重なる範囲の前板（１）には長手方向全幅に亘って折り線（Ｓ）に接しない切れ目（Ｐ）が形成されており、折り線（Ｓ）と切れ目（Ｐ）で囲まれる部分によりつまみ片（Ｑ）が形成されており、つまみ片（Ｑ）の表面にはフィルムを仮留めする手段を有していることを特徴とするフィルム用収納箱。【０００８】
２．縁折片（１０）は前板（１）の裏面に貼り合わせられていることを特徴とする１．に記載のフィルム用収納箱。
３．上記切れ目（Ｐ）の最も底板（２）に近い部分は閉蓋時に切断刃（Ｋ）と高さ方向で重なる状態であることを特徴とする１．又は２．に記載のフィルム用収納箱。【０００９】
４．つまみ片（Ｑ）の先端部となる切れ目（Ｐ）の少なくとも中央部が折り線（Ｓ）に向かう半円形状をなし、その半径は６０ｍｍ以下であることを特徴とする１．〜３．のいずれかに記載のフィルム用収納箱。
５．上記つまみ片（Ｑ）の先端部となる切れ目（Ｐ）の両端部は縁折片（１０）側、又は底板（２）側に向かう半円状の切れ目であり、その半円状の切れ目の部分は各々前板（１）の両端部に達しており、当該前板（１）両端部にある前板（１）とその補助脇板（１３）を繋ぐ折り線が、切れ目（Ｐ）との接点部分を介して上部（Ｔ１）と下部（Ｔ２）に区分され、上部（Ｔ１）は縁折片（１０）側の頂点（Ｕ）から前板（１）の中央側に斜めに向かい、切れ目（Ｐ）の端部の半円状切れ目のいずれかの位置にまで及んでいることを特徴とする１．〜４．のいずれかに記載のフィルム用収納箱。
６．両端が折り線（Ｓ）に接する１〜２本の切れ目（Ｗ）を縁折片（１０）に付与し、収納箱に組み立てた場合に収納室の内方を向く突出片（１１）を設置したことを特徴とする１．〜５．のいずれかに記載のフィルム用収納箱。
７．外側端が折り線（Ｓ）に接し内側端が折り線（Ｓ）に接しない１〜２本の切れ目（Ｗ）を縁折片（１０）に付与し、収納箱に組み立てた場合に収納室の内方を向く突出片（１１）を設置したことを特徴とする１．〜５．のいずれかに記載のフィルム用収納箱。
８．フィルム用がラップフィルム用であることを特徴とする１．〜７．のいずれかに記載のフィルム用収納箱。
【発明の効果】
【００１０】
本発明のフィルム用収納箱では、つまみ片を前板全幅に亘って設置しているので、つまみ片の浮き上がりが予め十分に且つ長期間確保されており、収納箱側に切れ残ったフィルム先端部がつまみ易くなる効果を有する。また、つまみ片が前板両側面に繋がっているので、つまみ片上に配置させたフィルム仮留め部材に密着したフィルムを引き剥がしてから引き出す場合、つまみ片が前板全幅に亘って設けられているので、フィルムの引き上げ力に対し十分な反発力が生じ、フィルムがスムーズに剥がれる効果を有する。更に、フィルムと共につまみ片を持ち上げた場合でも、その応力はつまみ片全体に分散されるので、つまみ片端部分が破損する可能性は非常に小さい効果を有する。
【図面の簡単な説明】
【００１１】
【図１】本発明のフィルム用収納箱の展開図の一例である。
【図２】図１のフィルム用収納箱を組み立て、開封片を除去した後の蓋体を開けた状態を示す斜視図である。
【図３】（Ａ）、（Ｂ）は、本発明のフィルム用収納箱に設置するつまみ片を形成する切れ目の端部形状と折り線を示す部分図である。
【図４】（Ａ）、（Ｂ）、（Ｃ）、（Ｄ）は、本発明のフィルム用収納箱に設置するつまみ片を形成する切れ目の別の例の全体形状を示す部分図であり、（Ｂ）、（Ｄ）では縁折片に突出片を形成する切れ目Ｗの一例を示している。
【図５】（Ａ）、（Ｂ）は、従来のラップフィルム用収納箱の収納室部分のみを示した斜視図であり、（Ａ）は使用者が折り線に沿ってつまみ片を折り曲げて浮き上がらせた状態を、（Ｂ）は縁折片を押し返して前板裏面に貼り付け、つまみ片が反発力で浮き上がっている状態を示している。
【符号の説明】
【００１２】
１：前板
２：底板
３：後板
４：脇板
５：蓋板
６：掩蓋片
７：切り取り線
８：開封片
９：掩蓋片脇板
１０：縁折片
１１：突出片
１２：ガイド片
１３：補助脇板
１４：補助脇板
１５：補助脇板
Ｋ：切断刃
Ｍ：収納室
Ｎ：蓋体
Ｐ：切れ目
Ｑ：つまみ片
Ｑ’：つまみ片
Ｑ”：つまみ片
Ｒ：フィルム仮留め部材
Ｓ：折り線
Ｓ’折り線
Ｔ１：折り線
Ｔ２：折り線
Ｕ：Ｔ１の頂部
Ｗ：切れ目  
【発明を実施するための最良の形態】
【００１３】
本発明について、好ましい実施態様を中心に説明する。
図１は本発明のフィルム用収納箱の展開図の一例であり、その展開されたものは、ガイド片１２を有する縁折片１０、補助脇板１３を有する前板１、脇板４を有する底板２、補助脇板１４を有する後板３、掩蓋片脇板９を有する蓋板５、補助脇板１５を有する掩蓋片６を順次連接してなり、且つ掩蓋片６の先端部には切り取り線７を介して開封片８が、そして該先端部裏面には開封片８を剥がすことにより露出する切断刃Ｋが設けられて構成されている。なお、前板１、底板２、後板３及び脇板４により収容室Ｍが形成され、蓋板５、掩蓋片６、開封片８、切断刃Ｋ及び掩蓋片脇板９により蓋体Ｎが形成される。
上記補助脇板１３、１４、１５は糊代兼補強として機能し、ガイド片１２は後述するフィルム端部の傷付き防止効果を奏するものである。また、前板１の前面の上部には、粘着性を有するフィルム仮留め部材Ｒが形成されている。【００１４】
図２は図１で示した収納箱を組み立てた状態を示す斜視図であり（開封片８は除去されている）、図３（Ａ）、（Ｂ）は本発明のつまみ片Ｑの先端部となる切れ目Ｐの端部形状と折り線Ｔ１の別の例を示す部分図であり、図４（Ａ）〜（Ｄ）はつまみ片Ｑの別の形状を示す部分図であり、特に図４（Ｂ）、（Ｄ）では縁折片１０部分に２つの切れ目Ｗを付与して突出片１１を形成した例を示している。図４（Ｂ）の場合は切れ目Ｗの両端部が折り線Ｓに接しており、図４（Ｄ）の場合は切れ目Ｗの収納箱端部側の端部（外側端部）が折り線Ｓに接し、収納箱中央側の端部（内側端部）は折り線Ｓに接しない例を示している。
更に、図５（Ａ）、（Ｂ）は従来のつまみ片を備えたフィルム用収納箱の収納室部分を示した斜視図である。【００１５】
本発明のフィルム用収納箱において、つまみ片Ｑの先端部となる切れ目Ｐは、閉蓋時に掩蓋片６が重なる範囲の前板１の長手方向全体（前板１の両端部間）に亘って折り線Ｓに接触しないように配置されている。この時、前板１の上端縁に連接している縁折片１０は折り線Ｓで折り曲げて前板１の裏面を覆うようにする。これによりつまみ片Ｑは、前板１の前方に向けて、中央部の浮き上がりが最大となるような湾曲状に浮き上がる。また、前板１の裏面と縁折片１０を貼り合わせると、より好ましい浮き上がりとなる。ここで縁折片１０が前板１の裏面を覆う態様は、前板１の長手方向はほぼ覆っている必要があるが、高さ方向は前板１の高さの半分程度であればよい。箱の安定性の面から高さ方向もほぼ覆うとより好ましい。この浮き上がりの大きさは、収納箱を構成する素材、折り線Ｓを折る時の押圧、折り線Ｓから切れ目Ｐまでの距離、折り線Ｔ１の長さ等によって変化するが、前板中央部の浮き上がりが最大となる傾向は変わらない。また、この浮き上がりは前板１全幅に亘る反発力によって形成されるので、外力によってつまみ片Ｑが押さえつけられた場合でも（例えば使用直前まで蓋体Ｎで押さえつけられている状態）、その反発力の減少は小さく、長期間に亘って浮き上がる能力を有している。よって、使用者がフィルムを引き出す時は、前板１側に切れ残ったフィルムの先端部が最も浮き上がっている中央部をつまんで操作することができる。また、前板中央部のフィルムの浮き上がりが最大となることから、フィルムの中央部をつまむ動作はほぼ無意識に行われることになる。このため、フィルムの左右両端側いずれかをつまんで引き出すことを抑制し、そのつまんだ部分の逆側端部のフィルムの巻筒体からの剥離が不十分となって箱内に巻き込まれて引き出し不良を発生する可能性を大幅に防止することも期待できる。【００１６】
本発明のフィルム用収納箱に配置するつまみ片Ｑを形成する切れ目Ｐの形状は、図１や図４（Ａ）〜（Ｄ）に示したように、閉蓋時に掩蓋片６と重なる前板１の範囲内であれば特に規定しないが、切れ目Ｐの最も底板２に近い部分は閉蓋時に切断刃Ｋと高さ方向で重なる状態であることが好ましい。この場合、蓋体Ｎを開ける時に、掩蓋片６の裏面に取り付けた切断刃Ｋによって形成される段差部分につまみ片Ｑの先端部が合致して（引っ掛かって）抵抗を発生することを防止できる。また、前板１側に切れ残ったフィルム端部をつまみ易くするために、つまみ片Ｑの先端部となる切れ目Ｐの少なくとも中央部に折り線Ｓに向かう半円形状を設けることが好ましく、その半径は６０ｍｍ以下とすることが好ましい。つまみ易さの観点からは、当該部分の形状は任意で構わないが、下向きのコの字状や曲率の大きな曲線等を形成させた場合は、その一部が上記した切断刃Ｋによって形成される段差部分と合致して蓋体Ｎを開ける時に抵抗を発生する可能性がある。【００１７】
また、本発明のフィルム用収納箱に配置するつまみ片Ｑを形成する切れ目Ｐの両端部を縁折片１０側、又は底板２側に向かう（縁折片１０側、又は底板２側に凸の）半円状の切れ目とし、その半円状の切れ目の頂点部分は各々前板１の両端部に達しており、当該前板１の両端部にある前板１とその前板１の補助脇板１３を繋ぐ折り線を、切れ目Ｐとの接点部分を介してＴ１（上部）とＴ２（下部）に区分した場合、Ｔ１は縁折片１０側の頂部Ｕから前板１の中央側に斜めに向かい、切れ目Ｐの端部である半円状切れ目のいずれかの位置にまで及んでいる構成としてもよい（図３（Ａ）、（Ｂ）参照）。【００１８】
折り線Ｔ１の底板２側の先端部を前板１側に配置させる傾斜構造を取らせることで、補助脇板１３を折り曲げて収納箱を形成した時に、Ｔ１部分に前板１の前方への歪が発生するので、つまみ片Ｑはより浮き上がりが大きくなる傾向となる。また、切れ目Ｐの端部を半円状とすることで、フィルムごとつまみ片Ｑがつまみ上げられた場合の応力がつまみ片Ｑの両端に設けた半円状部分で分散されるので、つまみ片Ｑの端部からのちぎれがより発生し難い傾向となり、耐久性が更に向上する。この半円の大きさは、小さ過ぎると効果が期待できず、大き過ぎると前板１内に納めきれなくなるので、半径で概ね２〜８ｍｍの範囲とすることが好ましく、折り線Ｔ１の傾斜は、その底板２側の先端部が上記半円状部分のいずれかに接し、且つ補助脇板１３をスムーズに折り曲げ可能となるような傾斜を適宜選定すればよい。【００１９】
本発明の目的は前板１上にフィルムを持ち上げるつまみ片Ｑを付与して前板１側に切れ残ったフィルムの先端部をつまみ易くすることであり、つまみ片Ｑの浮き上がりは大きいほどフィルムをつまみ易くなるが、その反面、フィルムをフィルム仮留め部材Ｒから引き剥がす時のスムーズさが失われたり、フィルムを底板２側に引き出す動作を行う使用者の場合、フィルム仮留め部材Ｒとの摩擦抵抗によって、フィルムが引き出し難くなる可能性が考えられる。【００２０】
つまみ片Ｑの過剰な浮き上がりを抑制する方法としては、縁折片１０にその両端が折り線Ｓに接する１〜２本の切れ目Ｗを付与し、収納箱に組み立てた場合に収納室の内方を向く突出片１１を設置することが好ましい。図４（Ｂ）には切れ目Ｗを２箇所配置した例を示したが、これを収納箱に組み立てた場合、折り線Ｓを介して貼り付けられた前板１と縁折片１０の反発力はつまみ片Ｑ以外に突出片１１にも働くので、つまみ片Ｑの浮き上がりは突出片１１を設置しない場合よりも小さくなる。また、図４（Ｄ）のよう２箇所に配置した各々の切れ目Ｗの収納箱中央側の端部が折り線Ｓに接しないように形成してもよく、かかる場合、つまみ片Ｑに作用する反発力が、収納箱中央側で大きくなり、収納箱端部側で低減されるので、つまみ片Ｑの端部の過剰な浮き上がりを抑制しつつ、つまみ片Ｑの中央部の浮き上がりを大きく確保することができる。このつまみ片Ｑの浮き上がりは前述したように、収納箱を構成する素材、折り線Ｓを折る時の押圧、折り線Ｓから切れ目Ｐまでの距離、折り線Ｔ１の長さや傾斜等にも影響されるので、これら全てを考慮して適宜設計すればよい。フィルムのつまみ易さとその他の操作性の観点から、つまみ片Ｑの前板１に対する浮き上がり角度は、最大となる中央部で５〜２０°程度が好ましい。【００２１】
尚、上記した突出片１１を設置した場合、つまみ片Ｑの過剰な浮き上がりを抑制する効果以外に、巻筒体の収納室Ｍからの飛び出し防止効果や、何らかの動作でフィルム先端部が収納室Ｍ内に巻き戻されてフィルム先端部が巻筒体に貼り付くトラブルを抑制する効果も期待できる。
本発明のフィルム用収納箱に採用される材質としては、コートボール紙、各種ダンボール、プラスチックス等特に制限はないが、生産性とコストの面から坪量３５０ｇ／ｍ２〜５５０ｇ／ｍ２のコートボール紙を採用することが好ましい。また、収納室１１の側面（脇板４や補助脇板１４）に公知の巻筒体の飛び出し防止手段を設けることが好ましい。【００２２】
また、切断刃Ｋの材質としては、金属、プラスチック、紙（強化紙含む）等特に制限はないが、フィルムのカット性を維持する観点からは金属製の切断刃が好ましい。
更に、フィルム仮留め部材Ｒの材質については、アクリル系やウレタン系、ゴム系の各種粘着剤を用いてもよいが、粘着性を持つ場合は汚れの付着による密着力の低下や外観の悪化が発生し易いので、フィルムとの親和性で密着を発現するＵＶ架橋硬化性アクリル系エステル樹脂を用いることが好ましい。【００２３】
尚、図１に示した縁折片１０の両端部にガイド片１２を示しているが、これは図１で示されるカートンブランクの各長辺を折り曲げて開封片８裏面と前板１下端側を貼り付けて扁平状の筒体とした、所謂サック貼り状態とした後、この扁平した筒体を四角状に形成し、左右何れかの開口部からフィルムが巻き付けられた巻筒体を挿入する時のフィルム端部の傷付き防止に効果を発揮する。即ち、ガイド片１２が存在しない場合は、縁折片１０を前板１の裏面に貼り付けると上記した開口部の前板１側には縁折片１０の厚み分だけ段差が形成され、その部分に巻筒体のフィルム端部が接触して傷付きを発生する可能性がある。しかし、ガイド片１２を設置することで上記段差が解消されるので、フィルム端部の傷付きは発生しなくなる。よって、縁折片両側にガイド片１２を設置することが好ましい。
【実施例】
【００２４】
以下、本発明を実施例に基づいて説明する。
[実施例１]
図１に示したフィルム用収納箱の展開図において、高さ約４４ｍｍ、奥行き約４４ｍｍ、長さ約３１５ｍｍの寸法となる収納箱であり、前板１の長さが３１０ｍｍ、つまみ片Ｑの最大高さ（折り線Ｓから最も底板２に近い切れ目Ｐの先端部までの長さ）が２４ｍｍ、中央部に設ける切欠き部半径が４０ｍｍとし、折り線Ｔ１の高さ（縁折片１０側の頂部Ｕから底板２側の先端部までの長さ）は１１ｍｍであり、掩蓋片６の高さ約３０ｍｍの裏面先端部のほぼ全域に亘って高さ約８ｍｍのブリキ製切断刃Ｋを設置し、その先端部約２ｍｍを開封片７側へ突出させた設計のカートンブランクを坪量４５０ｇ／ｍ２のコートボール紙で作成した。また、つまみ片Ｑの中央部には高さ１０ｍｍ、長さ５０ｍｍの範囲に、ポリ塩化ビニリデン製ラップフィルムを貼り付けた後のＪＩＳ  Ｚ  ０２３７に準拠した垂直剥離力が約５０ｃＮ／５０ｍｍであるＵＶ架橋硬化性アクリル系エステル樹脂を塗布してフィルム仮留め部材Ｒとした。このカートンブランクの各面を折り曲げて直方体状の収納箱とし、２４時間放置後に開封片８を除去して、以下に記す基準でつまみ片Ｑの浮き上がり角度（中央部）、フィルム仮留め部材Ｒに付着したラップフィルムの剥ぎ取り易さ、つまみ片Ｑの耐久性を評価した。【００２５】
[実施例２〜１１]
折り線Ｔ１の高さと傾斜の有無、切れ目Ｐ両端部の形状、突出片１１の有無を表１に示したように変更した以外は実施例１と同様にして収納箱を作成し、評価した。
尚、折り線Ｔ１に傾斜を付与する場合、切れ目Ｐの両端部は縁折片１０側（上側）を向いた凸状半円形であり、Ｔ１の先端部（Ｕとは逆側）は前板１の内側に１．５ｍｍ入り込んで切れ目Ｐの半円上に達しており、その高さは頂部Ｕから底板２側の先端部までの長さを記載している。また、実施例４〜１１では、突出片１１は２箇所で、最大高さは何れも９ｍｍであり、実施例４〜７、９〜１１の場合は各突出部１１の切れ目Ｗの両端部が図４（Ｂ）で示したように折り線Ｓに接している。実施例８の場合は図４（Ｄ）で示したように突出片１１を形成するための切れ目Ｗの収納箱中央側の内側端部が折り線Ｓに接しておらず、切れ目Ｗの収納箱端部側の外側端部が折り線Ｓに接している。【００２６】
[比較例１〜４]
比較例１と２は図５（Ａ）に示した従来例の収納箱で、表２に示したようにつまみ片Ｑ’の最大高さは２４ｍｍ、長さは５０又は１００ｍｍとし、前板１上端部からつまみ片Ｑ’の折り線Ｓ’までの距離（Ｓ−Ｓ’）は両者とも５ｍｍとした（この比較例１と２には前板１上端縁に連接する縁折片１０は設置していない）。
比較例３と４は図５（Ｂ）に示した従来例の収納箱で、表２に示したようにつまみ片Ｑ”の最大高さは２４ｍｍ、長さは５０又は１００ｍｍとした（この比較例３と４には前板１上端縁に連接する縁折片１０を設置しており、折り返して前板１裏面に貼り合わせている）。
これらの収納箱を組み立て、実施例１と同様に評価した。【００２７】
[評価基準と結果]
以下に示す各評価結果と合否（○：合格、×：不合格）は表３に示した。
１．つまみ片の浮き上がり角度
各実施例と比較例で示した設計の収納箱を１０箱ずつ組み立て、各つまみ片の中央部の、前板１に対する浮き上がり角度を測定した。ラップフィルムを指先でつまみ上げる時の操作性と、ラップフィルムを底板２側に引き出した時の引き出し抵抗の観点から、浮き上がり角度が５〜２５°を合格とした。各収納箱での測定値の平均値を表３に示した（小数点以下は四捨五入）。
各実施例と比較例３，４は合格であるが、比較例１，２は全く浮き上がっていなかったので不合格である（比較例１，２は収納箱に組み立てるだけではつまみＱ’が浮き上がることなく、使用者自ら折り線Ｓ’に沿って折り曲げる必要がある）。
尚、実施例１，４，９と２，５，１０と３，６，１１との比較より、つまみ片Ｑの浮き上がり角度は折り線Ｔ１の高さが小さい、Ｔ１に傾斜がある、突出片１１がない、若しくは突出片１１を２箇所配置した場合の中央部間隔が長いほど大きくなる傾向が読み取れる。また、実施例７と８との比較より、突出片１１を形成するための切れ目Ｗの収納箱中央側端部は折り線Ｓに接していない場合はつまみ片Ｑの浮き上がりがより大きくなることが判る。【００２８】
２．フィルムの剥離角度
各実施例と比較例の収納箱からラップフィルムを引き出してカットし、前板１側に切れ残ったラップフィルム端部をフィルム仮留め部材Ｒに密着させ、次にラップフィルムをつまみ上げてフィルム仮留め部材Ｒから引き剥がす時に、つまみ片の中央部の浮き上がりがどの程度の角度まで達するかを測定した（各評価回数１０回で、四捨五入した平均値を表３に記載）。
ラップフィルムの引き剥がし易さの観点から、浮き上がり角度が４５°未満の場合を合格、４５°を超える場合を不合格とした。この観点から、各実施例は合格の判定で、全ての比較例は不合格であることが判る。特に前板１の頂点となる折り線Ｓ上でつまみ片の回動が自由である比較例３，４では、つまみ片が９０°まで浮き上がってもラップフィルムが引き剥がされず、非常に使い勝手性が悪いものであった。
尚、比較例１，２の場合は、予めつまみ片Ｑ’の折り線Ｓ’を折り曲げて浮き上がり角度が１５°となるように調整してから測定を実施した。【００２９】
３．つまみ片の耐久性
各実施例と比較例１，２の収納箱に設置したつまみ片Ｑ，Ｑ’の中央先端部にフォースゲージの先端部を押し付け、つまみ片部分が破損するまでの荷重を評価した。測定結果は表３に示したが、各実施例の場合、つまみ片を９０°以上浮き上がらせても破損は発生せず、それ以上の測定は不能だったので、３０Ｎ以上の表記とした。耐久性の観点からは１０Ｎ以上が好ましいので、各実施例は合格と判定した。一方、比較例１，２のつまみ片が破壊される荷重は１０Ｎ未満であり、破壊後はつまみ片部分が前板から完全に分離したので、不合格と判定した。
尚、比較例３，４の場合はつまみ片Ｑ”が折り線Ｓに沿って回動自由なので、破損する部分がないため、この測定は実施していない。
以上の結果より、本発明の範囲内にあるフィルム用収納箱のつまみ片は、予め十分に浮き上がっており、フィルムの引き剥がしもスムーズで、耐久性も高いことが判る。【００３０】
【表１】
2008153012.tif 000003
【００３１】
【表２】
2008153012.tif 000004
【００３２】
【表３】
2008153012.tif 000005
【産業上の利用可能性】
【００３３】
本発明のフィルム用収納箱は、各種フィルムを巻回した巻物の収納箱として、特に食品包装用のラップフィルム用収納箱として好適に用いられる。
【図１】
2008153012.tif 000006
【図２】
2008153012.tif 000007
【図３】
2008153012.tif 000008
【図４】
2008153012.tif 000009
【図５】
2008153012.tif 000010
【手続補正書】
【提出日】平成21年9月25日(2009.9.25)
【手続補正１】
【補正対象書類名】特許請求の範囲
【補正対象項目名】全文
【補正方法】変更
【補正の内容】
【特許請求の範囲】
【請求項１】
前板（１）、底板（２）、後板（３）、及び脇板（４）の各面で形成される上部が開口した収納室（Ｍ）と、その収納室（Ｍ）の後板（３）の上端縁から開閉可能で収納室（Ｍ）を覆う方向に連接した蓋板（５）、その蓋板（５）の前端縁から前板（１）を覆う方向に延出した掩蓋片（６）、上記掩蓋片（６）先端に切り取り線（７）を介して延出した開封片（８）、上記開封片（８）を剥すことによって露出する掩蓋片（６）の先端に設けられたフィルムを切断するための切断刃（Ｋ）、及び掩蓋片脇板（９）の各面で形成される蓋体（Ｎ）と、を有するフィルム収納箱において、
前板（１）の上端縁には、折り線（Ｓ）を介して前板（１）の裏面を覆う縁折片（１０）が連接されており、前板（１）の長手方向の両端部には、折り線を介して補助脇板（１３）が接続されており、閉蓋時に掩蓋片（６）と重なる範囲の前板（１）には、長手方向の両端部間の全幅に亘って折り線（Ｓ）に接しない切れ目（Ｐ）が形成されており、切れ目（Ｐ）は、前板（１）の長手方向の両端部に点で接しており、当該接点より上部側にある、前板（１）と補助脇板（１３）の間の折り線の上部（Ｔ１）と、折り線（Ｓ）と、切れ目（Ｐ）とで囲まれる部分により、長手方向の中央部の浮き上がりが最大となるつまみ片（Ｑ）が形成されており、つまみ片（Ｑ）の表面にはフィルムを仮留めする手段を有していることを特徴とするフィルム用収納箱。
【請求項２】
縁折片（１０）は前板（１）の裏面に貼り合わせられていることを特徴とする請求項１に記載のフィルム用収納箱。
【請求項３】
上記切れ目（Ｐ）の最も底板（２）に近い部分は閉蓋時に切断刃（Ｋ）と高さ方向で重なる状態であることを特徴とする請求項１又は２に記載のフィルム用収納箱。
【請求項４】
つまみ片（Ｑ）の先端部となる切れ目（Ｐ）の少なくとも中央部が折り線（Ｓ）に向かう半円形状をなし、その半径は６０ｍｍ以下であることを特徴とする請求項１〜３のいずれかに記載のフィルム用収納箱。
【請求項５】
上記つまみ片（Ｑ）の先端部となる切れ目（Ｐ）の両端部は縁折片（１０）側、又は底板（２）側に向かう半円状の切れ目であり、その半円状の切れ目の部分は各々前板（１）の両端部に達しており、当該前板（１）両端部にある前板（１）とその補助脇板（１３）を繋ぐ折り線が、切れ目（Ｐ）との接点部分を介して上部（Ｔ１）と下部（Ｔ２）に区分され、上部（Ｔ１）は縁折片（１０）側の頂点（Ｕ）から前板（１）の中央側に斜めに向かい、切れ目（Ｐ）の端部の半円状切れ目のいずれかの位置にまで及んでいることを特徴とする請求項１〜４のいずれかに記載のフィルム用収納箱。
【請求項６】
両端が折り線（Ｓ）に接する１〜２本の切れ目（Ｗ）を縁折片（１０）に付与し、収納箱に組み立てた場合に収納室の内方を向く突出片（１１）を設置したことを特徴とする請求項１〜５のいずれかに記載のフィルム用収納箱。
【請求項７】
外側端が折り線（Ｓ）に接し内側端が折り線（Ｓ）に接しない１〜２本の切れ目（Ｗ）を縁折片（１０）に付与し、収納箱に組み立てた場合に収納室の内方を向く突出片（１１）を設置したことを特徴とする請求項１〜５のいずれかに記載のフィルム用収納箱。
【請求項８】
フィルム用がラップフィルム用であることを特徴とする請求項１〜７のいずれかに記載のフィルム用収納箱。
【手続補正２】
【補正対象書類名】明細書
【補正対象項目名】０００７
【補正方法】変更
【補正の内容】
【０００７】
本発明者らは、上記課題を解決するため、つまみ片を前板全幅に亘って形成させることで、浮き上がり高さ、耐久性、使い易さ等が大きく向上することを見い出し本発明の完成に至った。
即ち、本発明は以下の通りである。
１．前板（１）、底板（２）、後板（３）、及び脇板（４）の各面で形成される上部が開口した収納室（Ｍ）と、その収納室（Ｍ）の後板（３）の上端縁から開閉可能で収納室（Ｍ）を覆う方向に連接した蓋板（５）、その蓋板（５）の前端縁から前板（１）を覆う方向に延出した掩蓋片（６）、上記掩蓋片（６）先端に切り取り線（７）を介して延出した開封片（８）、上記開封片（８）を剥すことによって露出する掩蓋片（６）の先端に設けられたフィルムを切断するための切断刃（Ｋ）、及び掩蓋片脇板（９）の各面で形成される蓋体（Ｎ）と、を有するフィルム収納箱において、前板（１）の上端縁には、折り線（Ｓ）を介して前板（１）の裏面を覆う縁折片（１０）が連接されており、前板（１）の長手方向の両端部には、折り線を介して補助脇板（１３）が接続されており、閉蓋時に掩蓋片（６）と重なる範囲の前板（１）には、長手方向の両端部間の全幅に亘って折り線（Ｓ）に接しない切れ目（Ｐ）が形成されており、切れ目（Ｐ）は、前板（１）の長手方向の両端部に点で接しており、当該接点より上部側にある、前板（１）と補助脇板（１３）の間の折り線の上部（Ｔ１）と、折り線（Ｓ）と、切れ目（Ｐ）とで囲まれる部分により、長手方向の中央部の浮き上がりが最大となるつまみ片（Ｑ）が形成されており、つまみ片（Ｑ）の表面にはフィルムを仮留めする手段を有していることを特徴とするフィルム用収納箱。
【手続補正３】
【補正対象書類名】明細書
【補正対象項目名】００２１
【補正方法】変更
【補正の内容】
【００２１】
尚、上記した突出片１１を設置した場合、つまみ片Ｑの過剰な浮き上がりを抑制する効果以外に、巻筒体の収納室Ｍからの飛び出し防止効果や、何らかの動作でフィルム先端部が収納室Ｍ内に巻き戻されてフィルム先端部が巻筒体に貼り付くトラブルを抑制する効果も期待できる。
本発明のフィルム用収納箱に採用される材質としては、コートボール紙、各種ダンボール、プラスチックス等特に制限はないが、生産性とコストの面から坪量３５０ｇ／ｍ2〜５５０ｇ／ｍ2のコートボール紙を採用することが好ましい。また、収納室Ｍの側面（脇板４や補助脇板１４）に公知の巻筒体の飛び出し防止手段を設けることが好ましい。
【手続補正４】
【補正対象書類名】明細書
【補正対象項目名】００２５
【補正方法】変更
【補正の内容】
【００２５】
[実施例２〜１１]
折り線Ｔ１の高さと傾斜の有無、切れ目Ｐ両端部の形状、突出片１１の有無を表１に示したように変更した以外は実施例１と同様にして収納箱を作成し、評価した。
尚、折り線Ｔ１に傾斜を付与する場合、切れ目Ｐの両端部は縁折片１０側（上側）を向いた凸状半円形であり、Ｔ１の先端部（Ｕとは逆側）は前板１の内側に１．５ｍｍ入り込んで切れ目Ｐの半円上に達しており、その高さは頂部Ｕから底板２側の先端部までの長さを記載している。また、実施例４〜１１では、突出片１１は２箇所で、最大高さは何れも９ｍｍであり、実施例４〜７、９〜１１の場合は各突出片１１の切れ目Ｗの両端部が図４（Ｂ）で示したように折り線Ｓに接している。実施例８の場合は図４（Ｄ）で示したように突出片１１を形成するための切れ目Ｗの収納箱中央側の内側端部が折り線Ｓに接しておらず、切れ目Ｗの収納箱端部側の外側端部が折り線Ｓに接している。
【手続補正５】
【補正対象書類名】明細書
【補正対象項目名】００２７
【補正方法】変更
【補正の内容】
【００２７】
[評価基準と結果]
以下に示す各評価結果と合否（○：合格、×：不合格）は表３に示した。
１．つまみ片の浮き上がり角度
各実施例と比較例で示した設計の収納箱を１０箱ずつ組み立て、各つまみ片の中央部の、前板１に対する浮き上がり角度を測定した。ラップフィルムを指先でつまみ上げる時の操作性と、ラップフィルムを底板２側に引き出した時の引き出し抵抗の観点から、浮き上がり角度が５〜２５°を合格とした。各収納箱での測定値の平均値を表３に示した（小数点以下は四捨五入）。
各実施例と比較例３，４は合格であるが、比較例１，２は全く浮き上がっていなかったので不合格である（比較例１，２は収納箱に組み立てるだけではつまみ片Ｑ'が浮き上がることなく、使用者自ら折り線Ｓ'に沿って折り曲げる必要がある）。
尚、実施例１，４，９と２，５，１０と３，６，１１との比較より、つまみ片Ｑの浮き上がり角度は折り線Ｔ１の高さが小さい、Ｔ１に傾斜がある、突出片１１がない、若しくは突出片１１を２箇所配置した場合の中央部間隔が長いほど大きくなる傾向が読み取れる。また、実施例７と８との比較より、突出片１１を形成するための切れ目Ｗの収納箱中央側端部は折り線Ｓに接していない場合はつまみ片Ｑの浮き上がりがより大きくなることが判る。
【国際調査報告】
2008153012.tif 000011
2008153012.tif 000012
2008153012.tif 000013
2008153012.tif 000014